(57)【要約】【課題】一人で看板を足場に取り付けることができ、取り付け作業に要する時間を短縮することができ、看板同士間に大きな隙間ができず、下側の看板の水平を合わせれば、上側の看板の水平を合わせる必要がない看板取付具を提供する。【解決手段】並設される複数のポールに看板を着脱自在に取り付けるために複数個用いられる看板取付具１であって、取付部２と固定部３とを備え、上記取付部２を、相対向状に配設される一対の隙間形成板１１，１２と、両隙間形成板１１，１２間にこれらに対し略直交する状態で配設される連結板１３とで、断面Ｈ字状に形成し、上記両隙間形成板１１，１２の少なくとも一方の外側面に上記固定部３を固定し、この固定部３をポールに固定した状態で、上記連結板１３が上記ポールの軸心方向に対し略直交するように構成している。【選択図】図１
0003097059.tif 000002
【実用新案登録請求の範囲】
【請求項１】
所定の間隔をあけて並設される複数のポールに看板を着脱自在に取り付けるために複数個用いられる看板取付具であって、看板の一部を着脱自在に取り付ける取付部と、ポールに着脱自在に固定する固定部とを備え、上記取付部を、看板の一部を出し入れ自在に配設しうる隙間をあけた状態で相対向状に配設される一対の隙間形成用平板体と、上記両隙間形成用平板体間にこれらに対し略直交する状態で配設される連結用平板体とで、断面Ｈ字状に形成し、上記両隙間形成用平板体間に配設した看板の一部を着脱自在に取り付ける取付手段を上記両隙間形成用平板体の少なくとも一方に設け、上記両隙間形成用平板体の少なくとも一方の外側面に上記固定部を固定し、この固定部をポールに固定した状態で、上記連結用平板体が上記ポールの軸心方向に対し略直交するように構成したことを特徴とする看板取付具。
【請求項２】
上記取付部を、看板の一部を出し入れ自在に配設しうる隙間をあけた状態で相対向状にかつ略垂直状に配設される前後一対の隙間形成用平板体と、上記両隙間形成用平板体の内側面間に略水平状に配設される連結用平板体とで、縦断面Ｈ字状に形成した請求項１記載の看板取付具。
【請求項３】
上記取付部の固定部を、略垂直状に配設したポールに固定した請求項２記載の看板取付具。
【請求項４】
上記取付部の固定部を、略水平状に配設したポールに固定した請求項２記載の看板取付具。
【請求項５】
上記複数のポールが、建築現場の足場として組まれている請求項１〜４のいずれか一項に記載の看板取付具。
【請求項６】
上記取付手段として、上記両隙間形成用平板体のいずれか一方の平板体にねじ穴が穿設され、このねじ穴にボルトが、いずれか他方の平板体に対し進退自在にら合している請求項１〜５のいずれか一項に記載の看板取付具。
【請求項７】
上記固定部がクランプ部材である請求項１〜６のいずれか一項に記載の看板取付具。
【請求項８】
上記連結用平板体の一側面と上記両隙間形成用平板体の内側面とで形成される溝状隙間および上記連結用平板体の他側面と上記両隙間形成用平板体の内側面とで形成される溝状隙間の双方が連続して形成されている請求項１〜７のいずれか一項に記載の看板取付具。
【請求項９】
上記連結用平板体の両側面の、その長手方向の略中央位置から、上記連結用平板体に対し直交する方向に仕切り板を突設し、上記連結用平板体の一側面と上記両隙間形成用平板体の内側面とで形成される溝状隙間が、上記連結用平板体の一側面から突設される仕切り板で仕切られ、上記連結用平板体の他側面と上記両隙間形成用平板体の内側面とで形成される溝状隙間が、上記連結用平板体の他側面から突設される仕切り板で仕切られている請求項１〜７のいずれか一項に記載の看板取付具。
【考案の詳細な説明】
【０００１】
【考案の属する技術分野】
本考案は、看板を簡単に取り付けることができる看板取付具に関するものである。
【０００２】
【従来の技術】
従来から、木造建築工事現場等の各種の建築現場，工事現場等では、足場が、多数本の中空パイプ状のポールを縦横に組み立てる等して形成されており、この足場を利用して、建築物の内容，特長，広告等や建築工事の内容，施工者，発注者等を表示した看板を取り付けることがよく行われている。このような、現場での看板広告は反響が高く、大きな効果を奏している。
【０００３】
上記の看板を足場に取り付ける方法としては、看板の各隅部に穿設した穴に紐等を回し、この紐等を足場のポールをにくくり付ける方法が、一般的である。
【０００４】
【考案が解決しようとする課題】
しかしながら、上記の方法では、下で看板を支える人が必要であり、一人で看板を足場にくくり付けることができないという問題や、取り付け作業に時間がかかるという問題がある。しかも、複数枚の看板を上下，左右に取り付ける場合には、上下，左右に隣り合う看板同士間に大きな隙間ができやすく、しかも、１枚ごとに看板の水平を合わさなければならないという問題がある。また、看板に代えて、表面に建築物の広告等が印刷されたシートを用い、これを紐等で足場にくくり付ける方法もあるが、この場合にも、上記と同様の問題がある。
【０００５】
本考案は、このような事情に鑑みなされたもので、一人で看板を足場に取り付けることができ、取り付け作業に要する時間を短縮することができ、看板同士間に大きな隙間ができず、下側の看板の水平を合わせれば、その上側に取り付ける看板の水平を合わせる必要がない看板取付具の提供をその目的とする。
【０００６】
【課題を解決するための手段】
上記の目的を達成するため、本考案の看板取付具は、所定の間隔をあけて並設される複数のポールに看板を着脱自在に取り付けるために複数個用いられる看板取付具であって、看板の一部を着脱自在に取り付ける取付部と、ポールに着脱自在に固定する固定部とを備え、上記取付部を、看板の一部を出し入れ自在に配設しうる隙間をあけた状態で相対向状に配設される一対の隙間形成用平板体と、上記両隙間形成用平板体間にこれらに対し略直交する状態で配設される連結用平板体とで、断面Ｈ字状に形成し、上記両隙間形成用平板体間に配設した看板の一部を着脱自在に取り付ける取付手段を上記両隙間形成用平板体の少なくとも一方に設け、上記両隙間形成用平板体の少なくとも一方の外側面に上記固定部を固定し、この固定部をポールに固定した状態で、上記連結用平板体が上記ポールの軸心方向に対し略直交するように構成したという構成をとる。
【０００７】
すなわち、本考案の看板取付具は、これを構成する取付部を、相対向状に配設される一対の隙間形成用平板体と、上記両隙間形成用平板体間にこれらに対し略直交する状態で配設される連結用平板体とで、断面Ｈ字状に形成しており、この断面Ｈ字状の両側に形成される一対の溝状隙間に看板の一部を着脱自在に配設することができる。また、上記両隙間形成用平板体の少なくとも一方の外側面に固定した固定部を、ポールに固定した状態で、上記連結用平板体が上記ポールの軸心方向に対し略直交するように構成しているため、建築現場等で縦横に組み立てられた足場のポールに上記固定具を固定すると、上記連結用平板体を略水平もしくは略垂直にする（すなわち、上記取付部の断面Ｈ字状の両溝状隙間を上下方向もしくは左右方向に向ける）ことができる。なお、本考案において、「略直交する」とは、完全に直交する場合を含み、「略垂直」とは、完全に垂直である場合を含み、「略水平」とは、完全に水平である場合を含む。
【０００８】
したがって、本考案の看板取付具を４個用い、例えば、つぎのようにして１枚の看板を足場に取り付けることができる。すなわち、まず、左右に隣り合うポールに、相対向する状態で２個の看板取付具を固定し、ついで、これら両看板取付具の上側に、相対向する状態で２個の看板取付具を仮固定する。これにより、両看板取付具の連結用平板体を略水平にし、両看板取付具の断面Ｈ字状の両溝状隙間を上下方向に向けることができる。つぎに、一人で看板を持ち上げ、下側の両看板取付具の断面Ｈ字状の上側溝状隙間（上記断面Ｈ字状の両溝状隙間のうち、連結用平板体の上側の溝状隙間）に看板の左右両側の下側隅部を挿入し、両看板取付具の連結用平板体の上面に載置する。つぎに、上側の一方の看板取付具の固定を解除し、この一方の看板取付具をポールに沿って下方に移動させ、この看板取付具の断面Ｈ字状の下側溝状隙間（上記断面Ｈ字状の両溝状隙間のうち、連結用平板体の下側の溝状隙間）に看板の一方の上側隅部を挿入し、この上側隅部の上面に上記一方の看板取付具の連結用平板体の下面を当接させ、その状態で、上記一方の看板取付具をポールに固定する。同様にして、上側の他方の看板取付具を動かし、看板の他方の上側隅部の上面に上記他方の看板取付具の連結用平板体の下面を当接させ、その状態で、上記他方の看板取付具をポールに固定する。そののち、取付手段で看板を各看板取付具に固定することを行う。このようにして、１枚の看板を足場に一人で取り付けることができる。なお、上側の両看板取付具を両ポールに仮固定しなくてもよい。
【０００９】
また、上記看板の上側に新たに看板を取り付ける場合には、まず、上記上側に取り付けた２個の看板取付具（以下、２段目の看板取付具という）の上側に新たに、相対向する状態で２個の看板取付具（以下、３段目の看板取付具という）を仮固定する。ついで、一人で２枚目の看板を持ち上げ、上記２段目の両看板取付具の断面Ｈ字状の上側溝状隙間に２枚目の看板の左右両側の下側隅部を挿入し、両看板取付具の連結用平板体の上面に載置する。つぎに、上記３段目の一方の看板取付具の固定を解除し、この一方の看板取付具をポールに沿って下方に移動させ、この看板取付具の断面Ｈ字状の下側溝状隙間に２枚目の看板の一方の上側隅部を挿入し、この上側隅部の上面に上記一方の看板取付具の連結用平板体の下面を当接させ、その状態で、上記一方の看板取付具をポールに固定する。同様にして、３段目の他方の看板取付具を動かし、看板の他方の上側隅部の上面に上記他方の看板取付具の連結用平板体の下面を当接させ、その状態で、上記他方の看板取付具をポールに固定する。そののち、取付手段で看板を各看板取付具に固定することを行う。このようにして、２枚の看板を上下方向に重ねて取り付けることができる。また、看板が３枚以上ある場合にも、同様にして、上下方向に並設状に取り付けることができる。
【００１０】
また、上記看板の右側に新たに看板を取り付ける場合には、まず、左右に隣り合う２本のポールに１枚目の看板を取り付ける際に、各看板取付具の断面Ｈ字状の溝状隙間の半分だけを利用し、看板を取り付けておく。例えば、看板の右・下側の隅部を右・下側の看板取付具の断面Ｈ字状の上側溝状隙間の左側部分に載置し、看板の左・下側の隅部を左・下側の看板取付具の断面Ｈ字状の上側溝状隙間の右側部分に載置しておく。ついで、上記２本のポールの右側にあるポール（以下、３列目のポールという）に、上記２本のポールのうち右側のポール（以下、２列目のポールという）に固定した上下一対の看板取付具と相対向する状態で、上下一対の看板取付具を新たに固定する。つぎに、一人で看板を持ち上げ、２列目および３列目のポールに取り付けた下側の両看板取付具の断面Ｈ字状の上側溝状隙間に２枚目の看板の左右両側の下側隅部を挿入し、両看板取付具の連結用平板体の上面に載置する。このとき、２枚目の看板の右・下側の隅部を３列目のポールの看板取付具の断面Ｈ字状の上側溝状隙間の左側部分に載置し、２枚目の看板の左・下側の隅部を２列目のポールの看板取付具の断面Ｈ字状の上側溝状隙間の右側部分に載置する。つぎに、２列目のポールに固定した上側の看板取付具の固定を解除し、この看板取付具をポールに沿って上方に移動させ、２枚目の看板の左・上側の隅部を上記上側の看板取付具の断面Ｈ字状の下側溝状隙間の右側部分の下方に位置決めし、その状態で上記上側の看板取付具をポールに沿って下方に移動させ、この上側の看板取付具の断面Ｈ字状の下側溝状隙間の右側部分に看板の左・上側の隅部を挿入し、この上側隅部の上面に上記上側の看板取付具の連結用平板体の右側部分の下面を当接させ、その状態で、上記上側の看板取付具を２列目のポールに固定する。つぎに、３列目のポールに固定した上側の看板取付具の固定を解除し、この上側の看板取付具をポールに沿って下方に移動させ、この看板取付具の断面Ｈ字状の下側溝状隙間の左側部分に２枚目の看板の右・上側の隅部を挿入し、この上側隅部の上面を上記上側の看板取付具の連結用平板体の左側部分の下面に当接させ、その状態で、上記上側の看板取付具を３列目のポールに固定する。そののち、取付手段で看板を各看板取付具に固定することを行う。このようにして、２枚の看板を左右方向に並べて取り付けることができる。また、看板が３枚以上ある場合にも、同様にして、左右方向に並設状に取り付けることができる。
【００１１】
上記のように、本考案の看板取付具では、一人で看板を足場に取り付けることができるうえ、取り付け作業が短い時間で行える。しかも、複数枚の看板を上下，左右に取り付ける場合には、上下もしくは左右に隣り合う看板同士間に大きな隙間ができない。しかも、複数枚の看板を上下に取り付ける場合には、最初に看板取付具の連結用平板体の水平を合わせておけば、その上方に看板を重ねて取り付けるときに、看板取付具の連結用平板体の水平を合わせる必要がない。
【００１２】
また、上記取付部を、看板の一部を出し入れ自在に配設しうる隙間をあけた状態で相対向状にかつ略垂直状に配設される前後一対の隙間形成用平板体と、上記両隙間形成用平板体の内側面間に略水平状に配設される連結用平板体とで、縦断面Ｈ字状に形成した場合には、縦横に組まれた足場に用いることで、看板を略水平に取り付けることができる。
【００１３】
さらに、上記取付部の固定部を、略垂直状に配設したポールに固定した場合には、上記取付部の連結用平板体を略水平にした（すなわち、上記取付部の断面Ｈ字状の両溝状隙間を上下方向に向けた）状態で看板を固定することができる。
【００１４】
また、上記取付部の固定部を、略水平状に配設したポールに固定した場合には、上記取付部の連結用平板体を略垂直にした（すなわち、上記取付部の断面Ｈ字状の両溝状隙間を左右方向に向けた）状態で看板を固定することができる。
【００１５】
さらに、上記複数のポールが、建築現場の足場として組まれている場合には、看板を建築現場の足場に取り付けることができる。
【００１６】
また、上記取付手段として、上記両隙間形成用平板体のいずれか一方の平板体にねじ穴が穿設され、このねじ穴にボルトが、いずれか他方の平板体に対し進退自在にら合している場合には、看板の脱着が、ボルトを緩めたり、締めたりすることで、簡単に行える。
【００１７】
さらにまた、上記固定部がクランプ部材である場合には、クランプ部材により、上記固定部をポールに簡単に固定することができる。
【００１８】
また、上記連結用平板体の一側面と上記両隙間形成用平板体の内側面とで形成される溝状隙間および上記連結用平板体の他側面と上記両隙間形成用平板体の内側面とで形成される溝状隙間の双方が連続して形成されている場合には、上記各溝状隙間に２枚の看板の一部を当接させた状態で配設することができる。また、上記各溝状隙間に１枚の看板の隅部もしくは中間部を配設することができる。
【００１９】
さらに、上記連結用平板体の両側面の、その長手方向の略中央位置から、上記連結用平板体に対し直交する方向に仕切り板を突設し、上記連結用平板体の一側面と上記両隙間形成用平板体の内側面とで形成される溝状隙間が、上記連結用平板体の一側面から突設される仕切り板で仕切られ、上記連結用平板体の他側面と上記両隙間形成用平板体の内側面とで形成される溝状隙間が、上記連結用平板体の他側面から突設される仕切り板で仕切られている場合には、上記各溝状隙間に看板の一部を位置決め可能に配設することができる。
【００２０】
【考案の実施の形態】
つぎに、本考案の実施の形態を図面にもとづいて詳しく説明する。
【００２１】
図１〜図３は本考案の看板取付具の一実施の形態を示している。これらの図において、１は看板取付具であり、看板５の一隅部５ａ〜５ｄ（図７参照）を着脱自在に取り付ける取付部２と、建築現場の足場を構成するために縦横に組まれた中空パイプ製のポール６（図５参照。この図５では、略垂直に組まれたポール６しか、図示せず）に着脱自在に固定される固定部３とからなっている。
【００２２】
上記取付部２は、縦断面Ｈ状に形成されており、所定間隔をあけて相対向状にかつ略垂直状に配設される前後一対の長方形平板状の隙間形成板（隙間形成用平板体）１１，１２と、これら前後両隙間形成板１１，１２間に配設される長方形平板状の連結板（連結用平板体）１３とからなっている。そして、上記両隙間形成板１１，１２の内側面と連結板１３の上面との間に上側溝状隙間１４が形成され、上記両隙間形成板１１，１２の内側面と連結板１３の下面との間に下側溝状隙間１５が形成されている。この実施の形態では、上記看板５は、横１８００ｃｍ×縦９００ｃｍであり、上記両隙間形成板１１，１２は、横１４０ｍｍ×縦８０ｍｍであり、上記両溝状隙間１４，１５の溝幅は、２２ｍｍである。
【００２３】
また、上記両隙間形成板１１，１２のうち、後側隙間形成板１１の４隅にそれぞれ平板体１６が熔接，固定されており、各平板体１６および各平板体１６に対応する後側隙間形成板１１の４隅の部分に貫通孔が形成されている。そして、これら各貫通孔の内周面に、内周面にねじ部が形成されたボルト固定用円筒体（図示せず）が内嵌状に固定されており、これら各ボルト固定用円筒体に、上記ねじ部にら合するボルト１７が進退自在に取り付けられている。図１〜図３において、１７ａはボルト１７の先端に揺動自在に固定された押さえ部材であり、１７ｂはボルト１７の先端にら合するナットである。
【００２４】
上記固定部３は、ポール６に固定しうるクランプ部材からなり、上記後側隙間形成板１１の外側面に熔接により固定される支受部２１と、この支受部２１の左右両端部に回動自在に取り付けられたクランプ部２２，２３と、一方のクランプ部２２の先端に回動自在に取り付けられたナット２５付きねじ棒２４とからなっている。そして、上記固定部３をポール６に固定した状態では、上記取付部２の連結板１３が略水平になるようにしている。
【００２５】
上記の構成において、４枚の看板５（下側の２枚の看板５と上側の２枚の看板５）を、建築現場の足場に略垂直方向に組まれた３本のポール６に着脱自在に取り付ける場合には、まず、左右に並設される３本のポール６にそれぞれ看板取付具１の固定部３を同じ高さで固定する（図５参照。この図５では、固定部３は図示せず）。このとき、固定部３の２本のクランプ部２２，２３を各ポール６の外周面に沿わせてクランプしたのち、ねじ棒２４のナット２５を締め付けて固定する（図６参照）。ついで、各看板取付具１の上側にもそれぞれ看板取付具１を所望の高さで仮固定する。つぎに、左側と中央の両ポール６に看板５を取り付けるために、一人で看板５を持ち上げ、左側のポール６の下側の看板取付具１の連結板１３の右側部分に看板５の左・下側の隅部５ａを載置し、中央のポール６の下側の看板取付具１の連結板１３の左側部分に看板５の右・下側の隅部５ｂを載置する（図７参照）。つぎに、左側と中央の両ポール６に取り付けた上側の看板取付具１を操作し、左側のポール６の上側の看板取付具１の連結板１３の下面の右側部分に、看板５の左・上側の隅部５ｃの上面を当接させた状態で、左側のポール６に上側の看板取付具１を固定し、中央のポール６の上側の看板取付具１の連結板１３の下面の左側部分に、看板５の右・上側の隅部５ｄの上面を当接させた状態で、左側のポール６に上側の看板取付具１を固定する。そののち、各看板取付具１のボルト１７を進退調節し、看板５の各隅部５ａ〜５ｄをボルト１７先端の押さえ部材１７ａで押さえる。
【００２６】
つぎに、中央と右側の両ポール６に２枚目の看板５を取り付けるために、１枚目の看板５と同様にして、中央と右側の両ポール６の下側の看板取付具１に２枚目の看板５の左・下側５ａおよび右・下側の隅部５ｂを載置する。このとき、左右の看板５，５同士を近接させて位置決めすることができる（図６参照）。つぎに、中央のポール６の上側の看板取付具１のボルト１７，ナット２５を緩めて、上側の看板取付具１を上方に動かしたのち、２枚目の看板５の左・上側５ｃを上記上側の看板取付具１の下方に位置決めして上記上側の看板取付具１を下方に動かし、この上側の看板取付具１の連結板１３の下面の右側部分に、２枚目の看板５の左・上側の隅部５ｃの上面を当接させた状態で、中央のポール６に上記上側の看板取付具１を固定する。そののち、右側のポール６の上側の看板取付具１を動かし、この上側の看板取付具１の連結板１３の下面の左側部分に、２枚目の看板５の右・上側の隅部５ｄの上面を当接させた状態で、右側のポール６に上記上側の看板取付具１を固定する。そののち、各看板取付具１のボルト１７を進退調節し、看板５の各隅部５ａ〜５ｄをボルト１７先端の押さえ部材１７ａで押さえる。
【００２７】
つぎに、上記と同様にして、１枚目および２枚目の看板５の上側に３枚目および４枚目の看板５を取り付ける（図８参照）。
【００２８】
また、上記の看板取付具１は、図９および図１０に示すように、上下に隣り合う複数本のポール６（図１０では、３本のポール６しか、図示せず）に固定して使用することもできる。この場合には、各看板５の左右両側部（隅部５ａ〜５ｄもしくは中間部）を固定することができる。
【００２９】
このように、上記実施の形態では、一人で看板５を足場のポール６に取り付けることができる。しかも、取り付け作業が短い時間で行える。しかも、複数枚の看板５を上下，左右に取り付ける場合には、上下もしくは左右に隣り合う看板５同士を近接させて取り付けることができる。しかも、複数枚の看板５を上下に取り付ける場合には、最初に看板取付具１の連結板１３の水平を合わせておけば、その上方に看板５を重ねて取り付けるときに、看板取付具１の連結板１３の水平を合わせる必要がない。しかも、ボルト１７を緩めると、一番外側に配設された１枚の看板５だけを取り外すことができる。
【００３０】
図１１および図１２は本考案の看板取付具の他の実施の形態を示している。この実施の形態では、上記実施の形態において、連結板１３の長手方向の中央位置において、連結板１３の上下両側面から仕切り板２７が突設されており、図１３に示すように、上記両仕切り板２７により、上下両溝状隙間１４，１５が２つに仕切られている。それ以外の部分は上記実施の形態と同様であり、同様の部分には同じ符号を付している。この実施の形態でも、上記実施の形態と同様の作用・効果を奏する。
【００３１】
【考案の効果】
以上のように、本考案の看板取付具によれば、一人で看板を足場に取り付けることができるうえ、取り付け作業が短い時間で行える。しかも、複数枚の看板を上下，左右に取り付ける場合には、上下もしくは左右に隣り合う看板同士間に大きな隙間ができない。しかも、複数枚の看板を上下に取り付ける場合には、最初に看板取付具の連結用平板体の水平を合わせておけば、その上方に看板を重ねて取り付けるときに、看板取付具の連結用平板体の水平を合わせる必要がない。
【００３２】
また、上記取付部を、看板の一部を出し入れ自在に配設しうる隙間をあけた状態で相対向状にかつ略垂直状に配設される前後一対の隙間形成用平板体と、上記両隙間形成用平板体の内側面間に略水平状に配設される連結用平板体とで、縦断面Ｈ字状に形成した場合には、縦横に組まれた足場に用いることで、看板を略水平に取り付けることができる。
【００３３】
さらに、上記取付部の固定部を、略垂直状に配設したポールに固定した場合には、上記取付部の連結用平板体を略水平にした（すなわち、上記取付部の断面Ｈ字状の両溝状隙間を上下方向に向けた）状態で看板を固定することができる。
【００３４】
また、上記取付部の固定部を、略水平状に配設したポールに固定した場合には、上記取付部の連結用平板体を略垂直にした（すなわち、上記取付部の断面Ｈ字状の両溝状隙間を左右方向に向けた）状態で看板を固定することができる。
【００３５】
さらに、上記複数のポールが、建築現場の足場として組まれている場合には、看板を建築現場の足場に取り付けることができる。
【００３６】
また、上記取付手段として、上記両隙間形成用平板体のいずれか一方の平板体にねじ穴が穿設され、このねじ穴にボルトが、いずれか他方の平板体に対し進退自在にら合している場合には、看板の脱着が、ボルトを緩めたり、締めたりすることで、簡単に行える。
【００３７】
さらにまた、上記固定部がクランプ部材である場合には、クランプ部材により、上記固定部をポールに簡単に固定することができる。
【００３８】
また、上記連結用平板体の一側面と上記両隙間形成用平板体の内側面とで形成される溝状隙間および上記連結用平板体の他側面と上記両隙間形成用平板体の内側面とで形成される溝状隙間の双方が連続して形成されている場合には、上記各溝状隙間に２枚の看板の一部を当接させた状態で配設することができる。また、上記各溝状隙間に１枚の看板の隅部もしくは中間部を配設することができる。
【００３９】
さらに、上記連結用平板体の両側面の、その長手方向の略中央位置から、上記連結用平板体に対し直交する方向に仕切り板を突設し、上記連結用平板体の一側面と上記両隙間形成用平板体の内側面とで形成される溝状隙間が、上記連結用平板体の一側面から突設される仕切り板で仕切られ、上記連結用平板体の他側面と上記両隙間形成用平板体の内側面とで形成される溝状隙間が、上記連結用平板体の他側面から突設される仕切り板で仕切られている場合には、上記各溝状隙間に看板の一部を位置決め可能に配設することができる。
【図面の簡単な説明】
【図１】本考案の看板取付具の一実施の形態を示す側面図である。
【図２】上記看板取付具の平面図である。
【図３】上記看板取付具の正面図である。
【図４】溝状隙間の説明図である。
【図５】看板の取り付け要領を示す説明図である。
【図６】上記看板の取り付け要領を示す説明図である。
【図７】上記看板の取り付け要領を示す説明図である。
【図８】上記看板の取り付け要領を示す説明図である。
【図９】上記看板取付具の別の使用方法を示す説明図である。
【図１０】上記看板取付具の別の使用方法を示す説明図である。
【図１１】本考案の看板取付具の他の実施の形態を示す側面図である。
【図１２】上記看板取付具の平面図である。
【図１３】溝状隙間の説明図である。
【符号の説明】
１　看板取付具
２　取付部
３　固定部
５　看板
６　ポール
１１，１２　隙間形成板
１３　連結板
【図１】
0003097059.tif 000003
【図２】
0003097059.tif 000004
【図３】
0003097059.tif 000005
【図４】
0003097059.tif 000006
【図５】
0003097059.tif 000007
【図６】
0003097059.tif 000008
【図７】
0003097059.tif 000009
【図８】
0003097059.tif 000010
【図９】
0003097059.tif 000011
【図１０】
0003097059.tif 000012
【図１１】
0003097059.tif 000013
【図１２】
0003097059.tif 000014
【図１３】
0003097059.tif 000015